(57)【要約】【課題】ＢＥＲ測定では検出できない復調過程以降の受信機能の検査を簡単な構成で行うことのできるデジタル無線受信装置を実現する。【解決手段】本発明のデジタル無線受信装置１０は、変調信号出力装置１００からの変調信号Ｓ２を復調して復調信号Ｓ３を生成する復調部１１と、特定データ列検出部１２と、同期信号生成部１３とを備える。特定データ列検出部１２は、復調信号Ｓ３における入力データＤ１の先頭部分を検出し、同期信号生成部１３は、当該先頭部分の検出に応じて、ロジックアナライザー２００の取込み実行部２０１が復調信号Ｓ３から出力データＤ２を取り込むための同期信号Ｓ４を発生する。【選択図】図１
2009267647.tif 000002
【特許請求の範囲】
【請求項１】
変調信号源からの変調信号を復調して復調信号を生成する復調部を備えるデジタル無線受信装置において、
当該デジタル無線受信装置の受信機能を検査するロジックアナライザーが上記復調信号から出力データを取り込むための、同期信号を生成する同期信号生成手段を備え、
当該同期信号生成手段は、
上記変調信号が、連続する同一の入力データからなる信号を変調した信号である場合、上記復調信号における上記入力データの先頭部分を検出して上記同期信号を生成することを特徴とするデジタル無線受信装置。
【請求項２】
上記入力データは、任意に設定可能な特定データ列を先頭部分に含み、
上記同期信号生成手段は、上記特定データ列を検出することにより、上記同期信号を生成することを特徴とする請求項１に記載のデジタル無線受信装置。
【請求項３】
上記入力データのデータ長は、１フレームのデータ長の自然数倍であり、
上記復調信号におけるフレームの先頭部分を抽出するフレーム先頭抽出手段をさらに備え、
上記同期信号生成手段は、上記先頭部分から上記特定データ列を検出することにより、上記同期信号を生成することを特徴とする請求項２に記載のデジタル無線受信装置。
【請求項４】
上記復調信号を所定時間遅延させる復調信号遅延手段をさらに備え、
上記所定時間は、上記同期信号の立上がりから上記出力データの取り込みの開始までの遅延時間と当該所定時間との和が、上記同期信号の周期となるように設定されることを特徴とする請求項１〜３のいずれか１項に記載のデジタル無線受信装置。
【請求項５】
上記同期信号を所定時間遅延させる同期信号遅延手段をさらに備え、
上記所定時間は、上記同期信号の立上がりから上記出力データの取り込みの開始までの遅延時間と当該所定時間との和が、上記同期信号の周期となるように設定されることを特徴とする請求項１〜３のいずれか１項に記載のデジタル無線受信装置。
【請求項６】
変調信号源からの変調信号を復調して復調信号を生成する復調部を備えるデジタル無線受信装置において、
当該デジタル無線受信装置の受信機能を検査するロジックアナライザーが上記復調信号から出力データを取り込むための、同期信号を生成する同期信号生成手段を備え、
当該同期信号生成手段は、
上記変調信号が、連続する同一の入力データからなる信号を変調した信号である場合、上記入力データのデータ長と同一の周期の同期信号を生成することを特徴とするデジタル無線受信装置。
【請求項７】
上記入力データのデータ長は、１フレームのデータ長と同一であり、
上記同期信号生成手段は、上記復調信号におけるフレームを検出して同期信号を生成することを特徴とする請求項６に記載のデジタル無線受信装置。
【請求項８】
上記同期信号生成手段は、上記入力データのデータ長以下のパルス幅の同期信号を生成し、
上記ロジックアナライザーは、上記同期信号の立上がりに上記出力データの取り込みを開始し、上記同期信号の立下りに上記出力データの取り込みを終了することを特徴とする請求項１〜７のいずれか１項に記載のデジタル無線受信装置。
【請求項９】
上記同期信号を上記ロジックアナライザーに出力するための端子は、パケット同期信号の出力端子であることを特徴とする請求項１〜８のいずれか１項に記載のデジタル無線受信装置。
【請求項１０】
ＢＥＲ測定手段をさらに備えることを特徴とする請求項１〜５のいずれか１項に記載のデジタル無線受信装置。
【請求項１１】
上記各手段が半導体集積回路によって実現されていることを特徴とすることを特徴とする請求項１〜１０のいずれか１項に記載のデジタル無線受信装置。
【請求項１２】
パッケージ化されたモジュールであることを特徴とする請求項１〜１１のいずれか１項に記載のデジタル無線受信装置。
【請求項１３】
デジタルＴＶ放送受信チューナーであることを特徴とする請求項１２に記載のデジタル無線受信装置。
【請求項１４】
請求項１〜１３のいずれか１項に記載のデジタル無線受信装置を有するデジタルＴＶ放送受信機。
【請求項１５】
変調信号を受信して復調する受信機能部を有するデジタル無線送受信装置であって、
上記受信機能部は、請求項１〜１０のいずれか１項に記載のデジタル無線受信装置の各手段を備えることを特徴とするデジタル無線送受信装置。
【発明の詳細な説明】
【技術分野】
【０００１】
本発明は、変調信号を受信するデジタル無線受信装置に関し、特に、デジタル無線受信装置の受信機能の検査時に、検査容易化を図るための機能を備えたデジタル無線受信装置に関する。
【背景技術】
【０００２】
従来のデジタル無線受信装置の受信機能の評価方法では、主に、ＢＥＲ（ビットエラーレート）測定装置を用いて行うのが一般的である（例えば、特許文献１）。この評価方法では、疑似ランダム・ビット列等の特定の入力データを変調してデジタル無線受信装置に入力し、その信号をデジタル無線受信装置が復調した出力データと元の入力データとを比較することでＢＥＲを測定している。
【０００３】
しかしながら、ＢＥＲ測定装置を用いた測定では、信号の入力からデータの出力までの遅延時間が明確でない場合、全データを漏れなく取り込むためには、十分な余裕を持ってデータ取り込みを行う必要がある。このため、出力データと元の入力データとを比較するためには、入力データ長以上に出力データを取り込む必要がある。したがって、取り込む必要のあるデータ量がより増えてしまうこととなり、測定時間が長くなってしまう。
【０００４】
また、ＢＥＲ測定装置は、デジタル無線受信装置へ入力するデータを変調する変調信号源、デジタル無線受信装置からの出力データを記録するメモリ、および、入力データと出力データとを比較するロジック等の機能を併せ持つ比較的高価な専用装置である。このため、ＢＥＲ測定装置による検査時の設備コストは無視できない。したがって、デジタル無線受信装置の量産時に、受信機能の検査をＢＥＲ測定装置で行った場合、検査コストの増大につながる。
【０００５】
そこで、デジタル無線受信装置の受信機能の他の評価方法として、デジタル無線受信装置内にＢＥＲ測定回路を搭載した構成が提案されている（例えば、特許文献２）。この構成では、変調過程でエラー訂正回路でのデータの訂正頻度を元にＢＥＲを計算するなどの方法で受信機能を測定している。これにより、測定の正確性ではＢＥＲ測定装置に劣るものの、ＢＥＲの逐次測定を行うことができ、ＢＥＲ測定装置よりも比較的短時間で測定が行える。また、変調信号源を備えるだけでＢＥＲ測定が可能になるため、ＢＥＲ検査設備のコストを抑えることができる。
【特許文献１】特開平８−５６２４２号公報（１９９６年２月２７日公開）
【特許文献２】特開２００７−１６６１５０号公報（２００７年６月２８日公開）
【発明の開示】
【発明が解決しようとする課題】
【０００６】
しかしながら、特許文献２に記載の構成では、入力された変調信号がデジタル無線受信装置内で復調される途中過程でＢＥＲ測定を行っているため、ＢＥＲ測定回路自身やそれ以降の回路で不具合が発生していて最終的な出力データに異常が発生していても、異常の検出ができない。そのため、デジタル無線受信装置の量産時の受信機能の検査を、デジタル無線受信装置内のＢＥＲ測定回路で行う場合、検査品質が低下してしまうという問題を生じる。
【０００７】
本発明は、上記の問題点に鑑みてなされたものであり、その目的は、ＢＥＲ測定では検出できない復調過程以降の受信機能の検査を簡単な構成で行うことのできるデジタル無線受信装置を実現することにある。
【課題を解決するための手段】
【０００８】
本発明に係るデジタル無線受信装置は、上記課題を解決するために、変調信号源からの変調信号を復調して復調信号を生成する復調部を備えるデジタル無線受信装置において、当該デジタル無線受信装置の受信機能を検査するロジックアナライザーが上記復調信号から出力データを取り込むための、同期信号を生成する同期信号生成手段を備え、当該同期信号生成手段は、上記変調信号が、連続する同一の入力データからなる信号を変調した信号である場合、上記復調信号における上記入力データの先頭部分を検出して上記同期信号を生成することを特徴としている。
【０００９】
上記の構成によれば、デジタル無線受信装置の復調部は、変調信号を復調して復調信号を生成する。当該デジタル無線受信装置の受信機能検査時では、デジタル無線受信装置からの復調信号がロジックアナライザーに出力され、ロジックアナライザーは、同期信号に基づいて復調信号から出力データを取り込む。
【００１０】
ここで、当該同期信号は、デジタル無線受信装置に設けられる同期信号生成手段によって生成される。また、変調信号は、連続する同一の入力データからなる信号を変調した信号であり、同期信号生成手段は、復調信号における入力データの先頭部分を検出して同期信号を生成する。したがって、ロジックアナライザーが取り込む出力データの先頭部分は、入力データの先頭部分と一致することとなり、受信エラーが発生していない場合、出力データと入力データとが一致することとなる。したがって、出力データと入力データとを比較することにより、復調過程以降の受信エラーの発生の有無を検知できる。
【００１１】
また、変調信号の受信から復調信号の生成までに遅延が発生していても、ロジックアナライザーは、出力データの先頭部分が入力データの先頭部分と一致するように出力データを取り込むことができる。このため、取り込まれる出力データのデータ長を必要最小限に抑えることができ、受信機能の検査時間を短縮するとともに、ロジックアナライザーの必要なメモリ容量も減らすことができる。したがって、内蔵したＢＥＲ測定回路では検出できない復調過程以降の受信機能の検査を簡単な構成で行うことができるという効果を奏する。
【００１２】
本発明に係るデジタル無線受信装置では、上記入力データは、任意に設定可能な特定データ列を先頭部分に含み、上記同期信号生成手段は、上記特定データ列を検出することにより、上記同期信号を生成することが好ましい。
【００１３】
上記の構成によれば、同期信号生成手段は、入力データの先頭部分に含まれる特定データ列を検出することにより同期信号を生成するので、ロジックアナライザーは、出力データの先頭と入力データの先頭とが一致するように、出力データを取り込むことができる。
【００１４】
本発明に係るデジタル無線受信装置では、上記入力データのデータ長は、１フレームのデータ長の自然数倍であり、上記復調信号におけるフレームの先頭部分を抽出するフレーム先頭抽出手段をさらに備え、上記同期信号生成手段は、上記先頭部分から上記特定データ列を検出することにより、上記同期信号を生成することが好ましい。
【００１５】
上記の構成によれば、同期信号生成手段は、復調信号の先頭部分のみ検索することで、同期信号を生成する。したがって、復調信号の検索箇所を小さくすることができ、さらに容易にエラーを検出することができる。
【００１６】
本発明に係るデジタル無線受信装置では、上記復調信号を所定時間遅延させる復調信号遅延手段をさらに備え、上記所定時間は、上記同期信号の立上がりから上記出力データの取り込みの開始までの遅延時間と当該所定時間との和が、上記同期信号の周期となるように設定されることが好ましい。
【００１７】
ロジックアナライザーが復調信号から出力データを取り込む際に、同期信号の立上がりから出力データの取り込みの開始までに遅延時間が存在する場合、取り込まれた出力データの先頭と入力データの先頭とが一致しなくなる。ここで、上記の構成によれば、復調信号遅延手段によって復調信号を所定時間遅延させることにより、同期信号を相対的に先行させている。また、当該所定時間は、同期信号の立上がりから出力データの取り込みの開始までの遅延時間と当該所定時間との和が、同期信号の周期となるように設定されているので、ロジックアナライザーは、出力データの先頭と入力データの先頭とが一致するように出力データを取り込むことができる。
【００１８】
本発明に係るデジタル無線受信装置では、上記同期信号を所定時間遅延させる同期信号遅延手段をさらに備え、上記所定時間は、上記同期信号の立上がりから上記出力データの取り込みの開始までの遅延時間と当該所定時間との和が、上記同期信号の周期となるように設定されることが好ましい。
【００１９】
同期信号の立上がりから出力データの取り込みの開始までに遅延時間が存在する場合、上記の構成によれば、同期信号遅延手段によって同期信号を所定時間遅延させることにより、復調信号を相対的に先行させている。また、当該所定時間は、同期信号の立上がりから出力データの取り込みの開始までの遅延時間と当該所定時間との和が、同期信号の周期となるように設定されているので、ロジックアナライザーは、出力データの先頭と入力データの先頭とが一致するように出力データを取り込むことができる。
【００２０】
本発明に係るデジタル無線受信装置では、変調信号源からの変調信号を復調して復調信号を生成する復調部を備えるデジタル無線受信装置において、当該デジタル無線受信装置の受信機能を検査するロジックアナライザーが上記復調信号から出力データを取り込むための、同期信号を生成する同期信号生成手段を備え、当該同期信号生成手段は、上記変調信号が、連続する同一の入力データからなる信号を変調した信号である場合、上記入力データのデータ長と同一の周期の同期信号を生成することを特徴としている。。
【００２１】
上記の構成によれば、デジタル無線受信装置の復調部は、変調信号を復調して復調信号を生成する。当該デジタル無線受信装置の受信機能検査時では、デジタル無線受信装置からの復調信号がロジックアナライザーに出力され、ロジックアナライザーは、同期信号に基づいて復調信号から出力データを取り込む。
【００２２】
ここで、当該同期信号は、デジタル無線受信装置に設けられる同期信号生成手段によって生成される。また、変調信号は、連続する同一の入力データからなる信号を変調した信号であり、同期信号生成手段は、入力データのデータ長と同一の周期の同期信号を生成する。
【００２３】
また、ロジックアナライザーとしては、同期信号の立上がり毎に復調信号から出力データを取り込む取込み実行部と、出力データと該出力データが取り込まれる直前に取り込まれた出力データとを比較するデータ比較部とを備えるロジックアナライザーを用いることにより、ロジックアナライザーは、同期信号の立上がり毎に上記復調信号から出力データを取り込むので、取り込まれた出力データのデータ長は入力データのデータ長と等しくなり、ある出力データと当該出力データが取り込まれる直前に取り込まれた出力データとは、受信エラーが発生していない場合、一致することとなる。ここで、データ比較部は、出力データと当該出力データが取り込まれる直前に取り込まれた出力データとを比較するので、比較結果により、復調過程以降の受信エラーの発生の有無を検知できる。
【００２４】
また、変調信号の受信から復調信号の生成までに遅延が発生していても、ロジックアナライザーは、出力データの先頭部分が入力データの先頭部分と一致するように出力データを取り込むことができる。このため、取り込まれる出力データのデータ長を必要最小限に抑えることができ、受信機能の検査時間を短縮するとともに、ロジックアナライザーの必要なメモリ容量も減らすことができる。したがって、内蔵したＢＥＲ測定回路では検出できない復調過程以降の受信機能の検査を簡単な構成で行うことができるという効果を奏する。
【００２５】
本発明に係るデジタル無線受信装置では、上記入力データのデータ長は、１フレームのデータ長と同一であり、上記同期信号生成手段は、上記復調信号におけるフレームを検出して同期信号を生成することが好ましい。
【００２６】
上記の構成によれば、同期信号生成手段が、復調信号におけるフレームを検出して同期信号を生成するので、ロジックアナライザーによって取り込まれた出力データのデータ長は入力データのデータ長と等しくなる。したがって、出力データと当該出力データが取り込まれる直前に取り込まれた出力データとを比較することにより、受信エラーの発生の有無を検出することができる。
【００２７】
本発明に係るデジタル無線受信装置では、上記同期信号生成手段は、上記入力データのデータ長以下のパルス幅の同期信号を生成し、上記ロジックアナライザーは、上記同期信号の立上がりに上記出力データの取り込みを開始し、上記同期信号の立下りに上記出力データの取り込みを終了することが好ましい。
【００２８】
上記の構成によれば、ロジックアナライザーは、同期信号の立上がりに出力データの取り込みを開始し、同期信号の立下りに出力データの取り込みを終了するので、出力データの先頭と入力データの先頭とを一致させ、かつ、入力データの一部のみに相当する出力データを取り込むことができる。受信エラーが発生していない場合、当該入力データの一部と取り込まれた出力データとが一致するので、両者を比較することにより、受信エラーの発生の有無を検出することができる。また、取り込む出力データのデータ量をさらに減らすことができるので、デジタル無線受信装置の受信機能の検査をさらに容易にすることができる。
【００２９】
本発明に係るデジタル無線受信装置では、上記同期信号を上記ロジックアナライザーに出力するための端子は、パケット同期信号の出力端子であることが好ましい。
【００３０】
本発明を利用したデジタル無線受信装置の受信機能の検査時には、デジタル無線受信装置のパケット同期信号は利用せず、本発明の同期信号を利用する。そこで、上記の構成のように、同期信号をロジックアナライザーに出力するための出力端子としてパケット同期信号の出力端子を利用することで、デジタル無線受信装置の端子数を減らすことができる。
【００３１】
本発明に係るデジタル無線受信装置は、ＢＥＲ測定手段をさらに備えることが好ましい。
【００３２】
上記の構成によれば、さらに、ＢＥＲ測定回路でＢＥＲ測定を行なうことにより、高速に受信機能の検査を行うことも可能となる。
【００３３】
本発明に係るデジタル無線受信装置では、上記各手段が半導体集積回路によって実現されていることが好ましい。
【００３４】
本発明に係るデジタル無線受信装置は、パッケージ化されたモジュールであることが好ましい。
【００３５】
本発明に係るデジタルＴＶ放送受信機は、デジタル無線受信装置を有する。
【００３６】
本発明に係るデジタルデジタル無線送受信装置は、変調信号を受信して復調する受信機能部を有するデジタル無線送受信装置であって、上記受信機能部は、上記デジタル無線受信装置の各手段を備えることを特徴としている。
【００３７】
上記の構成によれば、受信機能の検査を容易にすることができるデジタル無線送受信装置を実現できる。
【発明の効果】
【００３８】
本発明に係るデジタル無線受信装置は、以上のように、変調信号源からの変調信号を復調して復調信号を生成する復調部を備えるデジタル無線受信装置において、当該デジタル無線受信装置の受信機能を検査するロジックアナライザーが上記復調信号から出力データを取り込むための、同期信号を生成する同期信号生成手段を備え、当該同期信号生成手段は、上記変調信号が、連続する同一の入力データからなる信号を変調した信号である場合、上記復調信号における上記入力データの先頭部分を検出して上記同期信号を生成するので、内蔵したＢＥＲ測定回路では検出できない復調過程以降の受信機能の検査を簡単な構成で行うことができるという効果を奏する。
【発明を実施するための最良の形態】
【００３９】
〔第１の実施形態〕
本発明の第１の実施形態について図１ないし図２に基づいて説明すると以下の通りである。
【００４０】
図１は、本実施形態に係るデジタル無線受信装置１０、変調信号出力装置１００およびロジックアナライザー２００を示すブロック図である。また、図２は、デジタル無線受信装置１０、変調信号出力装置１００およびロジックアナライザー２００における各信号の波形図である。
【００４１】
変調信号出力装置１００は、変調信号を出力する汎用の変調信号源であり、変調部１０１、入力信号生成部１０２および入力データ記憶部１０３を備えている。入力データ記憶部１０３には、任意の入力データＤ１が記憶される。入力データの先頭部分には、任意に設定可能な特定データ列ＳＤが含まれている。
【００４２】
入力信号生成部１０２は、入力データ記憶部１０３に記憶された入力データＤ１に基づいて、入力データＤ１が連続する入力信号Ｓ１を生成する。変調部１０１は、入力信号Ｓ１を変調して変調信号Ｓ２を生成し、無線ないし有線で変調信号Ｓ２がデジタル無線受信装置１０に送信される。
【００４３】
デジタル無線受信装置１０は、復調部１１、特定データ列検出部１２および同期信号生成部１３を備えている。復調部１１は、変調信号出力装置１００からの変調信号Ｓ２を受信して復調し、復調信号Ｓ３を生成する。特定データ列検出部１２および同期信号生成部１３については、後述する。
【００４４】
ロジックアナライザー２００は、復調信号Ｓ３から出力データを取り込む汎用のロジックアナライザーであり、取込み実行部２０１、取込み指示部２０２、入力データ記憶部２０３、データ比較部２０４および検査結果出力部２０５を備えている。入力データ記憶部２０３には、変調信号出力装置１００の入力データ記憶部１０３に記憶される入力データＤ１と同一のデータが記憶されている。
【００４５】
復調部１１からの復調信号Ｓ３は、取込み実行部２０１および特定データ列検出部１２およびに入力される。特定データ列検出部１２は、入力データ記憶部２０３に記憶されている入力データＤ１の先頭のみに現れる特定データ列ＳＤを記憶しており、復調信号Ｓ３の中から特定データ列ＳＤ（図２における破線円内）を検出する。同期信号生成部１３は、特定データ列検出部１２による特定データ列の検出と同時に同期信号Ｓ４を生成し、取込み実行部２０１に出力する。
【００４６】
取込み指示部２０２は、取込み実行部２０１による復調信号Ｓ３の取込みを指示するための指示信号Ｓ５を生成し、取込み実行部２０１に出力する。取込み実行部２０１は、指示信号Ｓ５が入力されると、データ取り込み待機状態に移行し、その時点から最初に入力される同期信号Ｓ４の立上がりをトリガーとして、復調信号Ｓ３の取り込みを開始する。
【００４７】
その後、取込み実行部２０１は、次に入力される同期信号Ｓ４の立上がりをトリガーとして、取り込んだ出力データＤ２をまとめてデータ比較部２０４に出力するとともに、再び復調信号Ｓ３の取り込みを開始する。その後、取込み実行部２０１から指示信号Ｓ５が再度入力されると、取込み実行部２０１は、その時点から最初に入力される同期信号Ｓ４の立上がりをトリガーとして、復調信号Ｓ３の取り込みを終了する。
【００４８】
データ比較部２０４は、入力データ記憶部１２１に記憶されている入力データＤ１と取込み実行部２０１からの出力データＤ２とを比較し、エラーの発生率を出力する。上述のように、取込み実行部２０１は、入力データＤ１の先頭部分の特定データ列ＳＤの検出に同期した同期信号Ｓ４によって取込みを開始・終了するので、エラーがない場合、出力データＤ２は、入力データＤ１と一致することとなる。一方、ノイズ等が原因でエラーが発生した場合、出力データＤ２は、入力データＤ１と一致しなくなる。
【００４９】
検査結果出力部２０５は、データ比較部２０４の判定結果に基づき、例えば、図示しない表示部等にエラーの有無を表示させる。このように、本実施形態では、ＢＥＲ測定では検出できない復調過程以降の受信機能の検査を行うことができる。
【００５０】
また、デジタル無線受信装置１０の同期信号生成部１３は、入力データＤ１の先頭部分に含まれる特定データ列ＳＤの検出に同期した同期信号を生成し、ロジックアナライザー２００の取込み実行部２０１が、その同期信号に基づいて受信信号を取込む。そのため、変調信号Ｓ２の受信から復調信号Ｓ３の生成までの遅延時間に関わらず、復調信号Ｓ３から取込まれた出力データＤ２の開始位置および終了位置は、入力データＤ１の開始位置および終了位置と同一となる。したがって、変調信号Ｓ２から取り込まれる出力データＤ２のデータ長を必要最小限に抑えることができるため、ロジックアナライザー２００の必要なメモリ容量も減らすことができ、設備コストを抑えることができる。デジタル無線受信装置の受信機能の検査を容易にすることができる。
【００５１】
なお、特定データ列ＳＤのデータ内容は外部から任意に設定できるものとする。
【００５２】
〔第２の実施形態〕
本発明の第２の実施形態について図３ないし図４に基づいて説明すると以下の通りである。
【００５３】
図３は、本実施形態に係るデジタル無線受信装置２０、変調信号出力装置１００およびロジックアナライザー２１０を示すブロック図である。また、図４は、デジタル無線受信装置２０、変調信号出力装置１００およびロジックアナライザー２１０における各信号の波形図である。
【００５４】
デジタル無線受信装置２０は、図１に示すデジタル無線受信装置１０において、特定データ列検出部１２の代わりに入力データ長記憶部２１を備えた構成である。また、ロジックアナライザー２１０は、図１に示すロジックアナライザー２００において、入力データ記憶部２０３の代わりに取込みデータ保持部２１１を設けた構成である。
【００５５】
入力データ長記憶部２１は、入力データ記憶部１０３に記憶された入力データＤ１のデータ長を記憶している。これにより、同期信号生成部１３は、当該データ長と同一の周期の同期信号Ｓ４を出力する。
【００５６】
取込み実行部２０１は、取込み指示部２０２からの指示信号Ｓ５が入力されると、データ取り込み待機状態に移行し、その時点から最初に入力される同期信号Ｓ４の立上がりをトリガーとして、復調信号Ｓ３の取り込みを開始する。
【００５７】
取込み実行部２０１が取込んだ出力データＤ２は、データ比較部２０４に入力されるとともに、取込みデータ保持部２１１にも入力される。また、取込みデータ保持部２１１には、同期信号生成部１３から同期信号Ｓ４が入力される。取込みデータ保持部２１１は、取込み実行部２０１が取込んだ出力データＤ２を一時的に記憶し、同期信号Ｓ４の次の立上がりで、記憶した出力データＤ２をそのままデータ比較部２０４に出力する。なお便宜上、取込みデータ保持部２１１から出力される出力データを出力データＤ３とする。
【００５８】
このように、取込みデータ保持部２１１は、取込み実行部２０１が取込んだ出力データＤ２を、同期信号Ｓ４の１クロック周期分遅延させてデータ比較部２０４に出力する。ここで、データ比較部２０４において比較される出力データＤ２・Ｄ３のデータ長は、ともに入力データＤ１のデータ長と等しくなる。したがって、エラーがない場合、図４において、出力データＤ２の二点鎖線で囲った部分は、出力データＤ３と同一となる。
【００５９】
データ比較部２０４は、取込みデータ保持部２１１からの出力データＤ３と、当該出力データＤ３と同時に取込み実行部２０１から入力される出力データＤ２（すなわち、図４において、出力データＤ２の一点鎖線で囲った部分）とを比較する。上記のように、エラーがない場合、出力データＤ２と出力データＤ３とは、繰り返し入力された同一の入力データを復調したものであるので、両者は一致することとなる。したがって、この比較を繰り返すことにより、エラーの発生率を算出することが可能となる。
【００６０】
このように、データ比較部２０４は、出力データ同士を比較するので、比較される出力データの先頭部分が特定データ列ＳＤでなくてもよい。したがって、入力データ長のみ分かれば、入力データＤ１の内容が不明であってもエラーの検出が可能となる。
【００６１】
なお、図３に示すデジタル無線受信装置２０では、第１の実施形態と同様、取込み実行部２０１は、特定データ列ＳＤの検出に基づいて出力データＤ２・Ｄ３を取り込んでもよい。
【００６２】
なお、本実施形態では、デジタル無線受信装置２０内の回路の故障が原因でエラーが発生している場合、復調信号Ｓ３のフレーム毎に同様のエラーが発生するため、データ比較部２０４において比較される出力データＤ２・Ｄ３は同一となる。したがって、本実施形態におけるエラー検出は、ノイズ等が原因で偶発的に発生するエラーの頻度を検査する場合に用いられる。
【００６３】
なお、偶発的にエラーが発生する場合でも、データ比較部２０４において比較される出力データＤ２・Ｄ３が同一となる可能性はあるが、以下に説明するように、当該可能性はごく軽微である。
【００６４】
１ｂｉｔ単位で考えた場合、取込み実行部２０１によって出力データが取り込まれるまでのエラー発生率をαとすると、
出力データＤ２・Ｄ３がともにエラーがない確率β＝(１−α)２  …式（１）
出力データＤ２・Ｄ３のどちらか一方のみエラーを有する確率γ＝２α(１−α)  …式（２）
出力データＤ２・Ｄ３がともにエラーを有する確率δ＝α２  …式（３）
となる。この場合、検査結果出力部２０５では、式（１）だけではなく式（３）の場合もエラー無しと判定されてしまう。しかしながら、α≦０．５（ランダムノイズの場合にα＝０．５）で、αが十分に小さければ、δ＝α２であるため、出力データＤ２・Ｄ３がともにエラーを有する確率はより一層小さくなる。
【００６５】
また、復調信号Ｓ３から十分な長さの出力データを取り込めば、上記式（１）〜（３）の確率で各事象が発生するので、
式（１）または式（３）となる確率ε≒１−２α  …式（４）
γ＝２α(１−α)≒２α  …式（５）
と近似できるので、出力データＤ２・Ｄ３が一致しない確率ζ≒２αとなる。よって、出力データＤ２・Ｄ３の不一致の確率を２で割れば、本来のエラー率とほぼ等しいエラー率が得られる。
【００６６】
また、αが比較的大きい場合、α≦γ＜２αとなり、上記の近似式（４）および（５）に当てはめるとエラー率が小さめに判定されてしまう。しかしながら、そのようなαは通常許容されるエラー率より非常に大きいので、エラー率が小さめに判定されても判定基準に収まらず、問題にならない。
【００６７】
なお、取り込むデータ長は検査精度に応じて決定する必要がある。例えば、許容されるエラー率を２×１０−４として、
（ａ）α＝１×１０−４の場合、出力データＤ２・Ｄ３のどちらか一方のみエラーを有する確率γ＝１．９９９８×１０−４≒２α
となり近似が成立する。
また、（ｂ）α＝０．２の場合、確率γ＝０．３２＜２α
となるので近似は成立しないが、
０．３２÷２＝０．１６≫２×１０−４
となるので誤判定することはない。ここで、許容されるエラー率として設定されている２×１０−４は、ＩＳＤＢ−Ｔ規格でＲＳ復号後に擬似エラーフリーになるビタビ復号後のＢＥＲの許容値である。
【００６８】
以上のように、偶発的にエラーが発生する場合、データ比較部２０４において比較される出力データＤ２・Ｄ３が同一となる可能性はごく軽微であるので、実際の検査では問題とならない。
【００６９】
〔第３の実施形態〕
本発明の第３の実施形態について図５ないし図７に基づいて説明すると以下の通りである。
【００７０】
図５は、本実施形態に係るデジタル無線受信装置３０、変調信号出力装置１００およびロジックアナライザー２１０を示すブロック図である。また、図６は、デジタル無線受信装置３０、変調信号出力装置１００およびロジックアナライザー２１０における各信号の波形図である。
【００７１】
デジタル無線受信装置３０は、図３に示すデジタル無線受信装置２０において、入力データ長記憶部２１の代わりにフレーム検出部３１を設けた構成である。デジタル無線受信装置３０、変調信号出力装置１００およびロジックアナライザー２１０の他の構成は、図３に示す構成と略同一であるので、細部の説明を省略する。
【００７２】
本実施形態では、同期信号生成部１３による同期信号Ｓ４の生成を、復調信号Ｓ３のフレーム単位で行い、これにより、取込み実行部２０１は、出力データＤ２を取り込む。ここで、フレームは、変調信号を復調するために必要な制御信号と、伝送したいデータ列とをひとまとめにした信号の集まりを指す。１フレームに収まるデータサイズは、通信規格ごとに定められており、変調信号出力装置１００の変調部１０１は、入力信号Ｓ１を１フレームに収まるデータサイズ毎に区切り、復調に必要な制御信号を付加する。制御信号は通信規格によって異なっており、例えば、ＴＭＣＣ（Transmission and Multiplexing Configuration Control）等である。
【００７３】
このように、変調部１０１は、入力データＤ１と制御信号とでフレームを構成し、変調信号Ｓ２を生成する。また、本実施形態では、図６に示すように、入力データＤ１のデータ長は、復調信号Ｓ３の破線枠で示す１フレームのデータ長と同一である。
【００７４】
デジタル無線受信装置３０のフレーム検出部３１は、フレームに含まれる制御信号に基づいてフレームを検出する。同期信号生成部１３は、フレーム検出部３１によるフレームの検出毎に同期信号Ｓ４を生成し、取込み実行部２０１に出力する。取込み実行部２０１は、第２の実施形態の場合と略同様に、同期信号Ｓ４に基づいて出力データＤ２を取り込む。
【００７５】
フレームは変調の際に生成されて、復調の際に利用するものであるので、入力データＤ１や出力データＤ２にフレームの概念はないが、デジタル無線受信装置３０では、フレーム毎に含まれる制御信号を認識して復調を行っているので、同期信号生成部１３は、フレーム毎に同期信号Ｓ４を出力することが可能となる。これにより、取込み実行部２０１は、復調信号Ｓ３から元の入力データＤ１に対応した出力データＤ２を取り込むことができ、エラーがない場合、データ比較部２０４に入力される出力データＤ２・Ｄ３は、同一となる。
【００７６】
図５に示す構成では、取込み実行部２０１によって取り込まれた出力データＤ２の先頭部分は、必ずしも入力データＤ１の先頭部分と一致しないので、ロジックアナライザーとして第２の実施形態に係るロジックアナライザー２１０を用いている。一方、ロジックアナライザーとして第１の実施形態に係るロジックアナライザー２００を用いる場合は、入力データＤ１の先頭部分と出力データＤ２の先頭部分とを一致させる必要がある。この場合、変調信号出力装置では、変調部が入力データＤ１を直接変調する構成とする。
【００７７】
また、入力データＤ１の先頭部分と出力データＤ２の先頭部分とを一致させるために、１フレーム分の変調信号波形データを生成し、それを任意波形発生器で繰り返し波形発生させる構成としてもよい。以下、当該構成について説明する。
【００７８】
図７は、本実施形態の変形例に係るデジタル無線受信装置３０、変調信号出力装置１１０およびロジックアナライザー２００を示すブロック図である。変調信号出力装置１１０は、変調信号出力装置１００において、変調部１０１および入力信号生成部１０２の代わりに任意波形発生部１１１および変調波形生成部１１２を備えた構成である。
【００７９】
変調波形生成部１１２は、フレームサイズに合わせたデータ長である入力データＤ１から１フレーム分の信号データを作成する。変調波形生成部１１２は、ハードウェアロジックによって構成してもよく、外部のシステムを用いてソフトウェアによって実現してもよい。任意波形発生部１１１は、変調波形生成部１１２からの信号データをロードし、変調信号Ｓ２を繰り返し出力する。
【００８０】
これにより、入力データＤ１から１フレーム分の変調信号が生成されるので、出力データＤ２の先頭部分が、入力データＤ１の先頭部分と一致することとなる。
【００８１】
〔第４の実施形態〕
本発明の第４の実施形態について図８ないし図９に基づいて説明すると以下の通りである。
【００８２】
図８は、本実施形態に係るデジタル無線受信装置４０、変調信号出力装置１１０およびロジックアナライザー２００を示すブロック図である。また、図９は、デジタル無線受信装置４０、変調信号出力装置１１０およびロジックアナライザー２００における各信号の波形図である。
【００８３】
デジタル無線受信装置４０は、図１に示すデジタル無線受信装置１０において、フレーム先頭抽出部４１をさらに設けた構成である。デジタル無線受信装置４０の他の構成は、図１に示す構成と略同一であるので、細部の説明を省略する。
【００８４】
図９に示すように、入力データＤ１の先頭部分には特定データ列ＳＤが含まれている。また、入力データＤ１のデータ長は、１フレームのデータ長の自然数倍であり、本実施形態では、１フレームのデータ長の２倍である。
【００８５】
フレーム先頭抽出部４１は、第３の実施形態の場合と同様、復調信号Ｓ３のフレーム中の制御信号でフレームを認識する。ここで、フレーム内のデータの並びは通信規格で決まっているので、フレーム先頭抽出部４１は、フレームを認識するとともに、フレームの先頭部分も認識し、当該先頭部分のみ抽出する。特定データ列検出部１２は、フレーム先頭抽出部４１において抽出されたフレームの先頭部分に特定データ列ＳＤが含まれていた場合、特定データ列ＳＤを検出する。同期信号生成部１３は、特定データ列検出部１２による特定データ列ＳＤの検出と同時に同期信号Ｓ４を生成し、取込み実行部２０１に出力する。
【００８６】
本実施形態では、特定データ列検出部１２による特定データ列ＳＤの検出は、復調信号Ｓ３の先頭部分のみ検索することで行っている。これにより、特定データ列検出部１２における検索箇所を小さくすることができ、より簡易な構成で同期信号を生成することができる。
【００８７】
〔第５の実施形態〕
本発明の第５の実施形態について図１０ないし図１４に基づいて説明すると以下の通りである。本実施形態では、ロジックアナライザーの取込み実行部において、同期信号が立ち上がってから受信信号の取込みを開始するまで時間がかかる場合を想定している。
【００８８】
図１０は、取込み実行部２０１が同期信号Ｓ４の立上がりに遅れて復調信号Ｓ３の取込みを開始する場合の復調信号Ｓ３、同期信号Ｓ４および出力データＤ２の波形図である。この場合、取込み実行部２０１は出力データＤ２の破線部分を取り込むことができない。このため、エラーが発生していない場合であっても、取り込まれた出力データＤ２の実線部分は、データ比較部２０４において比較される入力データＤ１と一致しないため、エラーを正確に検出することができない。
【００８９】
そこで、本実施形態では、エラーが発生していない場合に、取り込まれた出力データＤ２が入力データＤ１と一致するように、復調信号Ｓ３を遅延させることにより、相対的に同期信号Ｓ４を先行させる。
【００９０】
図１１は、本実施形態に係るデジタル無線受信装置５０、変調信号出力装置１００およびロジックアナライザー２００を示すブロック図である。また、図１２は、デジタル無線受信装置５０における各信号の波形図である。
【００９１】
デジタル無線受信装置５０は、図８に示すデジタル無線受信装置４０において、復調信号遅延部５１をさらに設けた構成である。デジタル無線受信装置５０の他の構成は、図８に示す構成と略同一であるので、細部の説明を省略する。
【００９２】
復調部１１において復調された復調信号Ｓ３は、フレーム先頭抽出部４１および復調信号遅延部５１に入力される。復調信号遅延部５１は、復調部１１からの復調信号Ｓ３を時間Ｔ１だけ遅延させて、取込み実行部２０１に出力する。なお、便宜上復調信号遅延部５１から遅延して出力された復調信号を復調信号Ｓ６とする。ここで、取込み実行部２０１が同期信号Ｓ４の立上がりから復調信号Ｓ６の取込みを開始するまでの時間をＴ２、同期信号Ｓ４の周期をＴ３とすると、
Ｔ１＋Ｔ２＝Ｔ３
となるように、遅延時間Ｔ１が設定されている。
【００９３】
これにより、図１２に示すように、取込み実行部２０１は、比較される入力データＤ１と先頭部分が一致するように、出力データＤ２を取り込むことができる。
【００９４】
以上、復調信号Ｓ３を遅延させる構成について説明したが、同期信号Ｓ４を遅延させる構成としてもよい。
【００９５】
図１３は、本実施形態の変形例に係るデジタル無線受信装置６０、変調信号出力装置１００およびロジックアナライザー２００を示すブロック図である。また、図１４は、デジタル無線受信装置６０における各信号の波形図である。
【００９６】
デジタル無線受信装置６０は、図８に示すデジタル無線受信装置４０において、同期信号遅延部６１をさらに設けた構成である。デジタル無線受信装置６０の他の構成は、図８に示す構成と略同一であるので、細部の説明を省略する。
【００９７】
同期信号遅延部６１は、同期信号生成部１３からの同期信号Ｓ４を時間Ｔ４だけ遅延させて、取込み実行部２０１に出力する。なお、便宜上同期信号遅延部６１から遅延して出力された同期信号を同期信号Ｓ７とする。ここで、取込み実行部２０１が同期信号Ｓ４の立上がりから復調信号Ｓ６の取込みを開始するまでの時間をＴ２、同期信号Ｓ４の周期をＴ３とすると、
Ｔ４＋Ｔ２＝Ｔ３
となるように、遅延時間Ｔ４が設定されている。
【００９８】
これにより、図１４に示すように、取込み実行部２０１は、比較される入力データＤ１と先頭部分が一致するように、出力データＤ２を取り込むことができる。
【００９９】
〔第６の実施形態〕
本発明の第６の実施形態について図１５ないし図１６に基づいて説明すると以下の通りである。
【０１００】
図１５は、本実施形態に係るデジタル無線受信装置７０、変調信号出力装置１１０およびロジックアナライザー２２０を示すブロック図である。また、図１６は、デジタル無線受信装置７０における各信号の波形図である。
【０１０１】
デジタル無線受信装置７０は、図８に示すデジタル無線受信装置４０において、取込み幅設定部７１をさらに設けた構成である。また、ロジックアナライザー２２０は、ロジックアナライザー２００において、取込み実行部２０１の代わりに取込み実行部２２１を設けた構成である。デジタル無線受信装置７０の他の構成は、図８に示す構成と略同一であるので、細部の説明を省略する。
【０１０２】
第１〜第５の実施形態における取込み実行部２０１は、同期信号Ｓ４の立上がりから次の同期信号Ｓ４の立上がりまでの期間に、復調信号Ｓ３を取り込んでいた。一方、取込み実行部２２１は、同期信号Ｓ４の立上がりから立下りまでの期間に復調信号Ｓ３を取り込む。
【０１０３】
また、取込み幅設定部７１は、入力データ記憶部２０３に記憶されている入力データＤ１のデータ長に基づき、同期信号Ｓ４のパルス幅が入力データＤ１のデータ長以下となるように、同期信号生成部１３を制御する。
【０１０４】
これにより、図１６に示すように、取込み実行部２２１によって取り込まれた出力データＤ２のデータ長は、入力データＤ１のデータ長以下となる。ここで、入力データＤ１の先頭部分と出力データＤ２の先頭部分とが一致しているので、出力データＤ２を入力データＤ１の一部と比較することにより、エラーの検出が可能となる。このように、復調信号の一部のみ取り込むことにより、取り込む出力データのデータ量を抑え、より簡単に受信機能の検査を行うことができる。
【０１０５】
〔実施形態の総括〕
復調信号Ｓ３および同期信号Ｓ４は、デジタル無線受信装置の出力端子等を介してロジックアナライザーに出力される。ここで、受信機能の検査時には、デジタル無線受信装置のパケット同期信号は利用しない。そのため、同期信号Ｓ４をロジックアナライザーに出力するための出力端子としてパケット同期信号の出力端子を利用することが好ましい。すなわち、パケット同期信号の出力端子は、通常使用時においてはパケット同期信号の出力に使用し、受信機能の検査時のみ、同期信号Ｓ４を出力するために使用する。なお、同期信号Ｓ４とパケット同期信号との切り替えは、外部から設定してもよい。
【０１０６】
また、上記各実施形態に係るデジタル無線受信装置にＢＥＲ測定回路を内蔵させ、受信機能検査時に、状況に応じて上記各実施形態に係る受信機能検査と、ＢＥＲ測定回路による受信機能検査とを使い分けてもよい。例えば、ＢＥＲ測定のみを行う場合はＢＥＲ測定回路を使用し、ＢＥＲ測定回路以降のエラーを検査する場合は、上記各実施形態に係る受信機能検査を利用する。これにより、ＢＥＲ測定をＢＥＲ測定回路で行なうことで、高速に受信機能の検査を行うこともできるとともに、ＢＥＲ測定回路だけでの検査では検出できない、ＢＥＲ測定回路以降のエラーを容易に検出できるようになる。したがって、検査装置のメモリ容量を抑えることができ、受信機能検査をより簡易化することが可能になる。
【０１０７】
なお、上記各実施形態に係るデジタル無線受信装置の特定データ列検出部、同期信号生成部、入力データ長記憶部、フレーム検出部、フレーム先頭検出部、復調信号遅延部、同期信号遅延部および取込み幅設定部の各部は、半導体集積回路によって実現されている。また、上記各部は、変調信号を受信して復調する受信機能部を有するデジタル無線送受信装置の受信機能部に設けてもよい。
【０１０８】
また、上記各実施形態に係るデジタル無線受信装置は、主要部品をまとめてパッケージ化したモジュールであってもよく、当該モジュールは、例えば、デジタルＴＶ放送受信チューナー、携帯電話の送受信機能を提供するモジュール、無線ＬＡＮ通信装置の送受信機能を提供するモジュール、および、Ｂｌｕｅｔｏｏｔｈ通信装置の送受信機能を提供するモジュールである。
【０１０９】
また、上記各実施形態に係るデジタル無線受信装置は、デジタルＴＶ放送受信機、携帯電話、無線ＬＡＮ通信装置およびＢｌｕｅｔｏｏｔｈ通信装置等に搭載される。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１１】
本発明は、変調信号を受信するデジタル無線受信装置の受信機能の検査に好適に適用できる。
【図面の簡単な説明】
【０１１２】
【図１】本発明の第１の実施形態に係るデジタル無線受信装置および変調信号出力装置を示すブロック図である。
【図２】本発明の第１の実施形態に係るデジタル無線受信装置および変調信号出力装置における各信号の波形図である。
【図３】本発明の第２の実施形態に係るデジタル無線受信装置および変調信号出力装置を示すブロック図である。
【図４】本発明の第２の実施形態に係るデジタル無線受信装置および変調信号出力装置における各信号の波形図である。
【図５】本発明の第３の実施形態に係るデジタル無線受信装置および変調信号出力装置を示すブロック図である。
【図６】本発明の第３の実施形態に係るデジタル無線受信装置および変調信号出力装置における各信号の波形図である。
【図７】本発明の第３の実施形態の変形例に係るデジタル無線受信装置および変調信号出力装置を示すブロック図である。
【図８】本発明の第４の実施形態に係るデジタル無線受信装置および変調信号出力装置を示すブロック図である。
【図９】本発明の第４の実施形態に係るデジタル無線受信装置および変調信号出力装置における各信号の波形図である。
【図１０】取込み実行部が同期信号の立上がりに遅れて復調信号の取込みを開始する場合の、復調信号、同期信号および出力データの波形図である。
【図１１】本発明の第５の実施形態に係るデジタル無線受信装置および変調信号出力装置を示すブロック図である。
【図１２】本発明の第５の実施形態に係るデジタル無線受信装置における各信号の波形図である。
【図１３】本発明の第５の実施形態の変形例に係るデジタル無線受信装置および変調信号出力装置を示すブロック図である。
【図１４】本発明の第５の実施形態の変形例に係るデジタル無線受信装置における各信号の波形図である。
【図１５】本発明の第６の実施形態に係るデジタル無線受信装置および変調信号出力装置を示すブロック図である。
【図１６】本発明の第６の実施形態に係るデジタル無線受信装置における各信号の波形図である。
【符号の説明】
【０１１３】
１０、２０、３０、４０、５０、６０、７０    デジタル無線受信装置
１１    復調部
１２    特定データ列検出部（特定データ列検出手段）
１３    同期信号生成部（同期信号生成手段）
４１    フレーム先頭抽出部（フレーム先頭抽出手段）
５１    復調信号遅延部（復調信号遅延手段）
６１    同期信号遅延部（同期信号遅延手段）
１００、１１０    変調信号出力装置（変調信号源）
２００、２１０、２２０    ロジックアナライザー
２０１、２２１    取込み実行部
２０４    データ比較部
Ｓ２    変調信号
Ｓ３、Ｓ６    復調信号
Ｓ４、Ｓ７    同期信号
Ｄ１    入力データ
Ｄ２、Ｄ３    出力データ
【図１】
2009267647.tif 000003
【図２】
2009267647.tif 000004
【図３】
2009267647.tif 000005
【図４】
2009267647.tif 000006
【図５】
2009267647.tif 000007
【図６】
2009267647.tif 000008
【図７】
2009267647.tif 000009
【図８】
2009267647.tif 000010
【図９】
2009267647.tif 000011
【図１０】
2009267647.tif 000012
【図１１】
2009267647.tif 000013
【図１２】
2009267647.tif 000014
【図１３】
2009267647.tif 000015
【図１４】
2009267647.tif 000016
【図１５】
2009267647.tif 000017
【図１６】
2009267647.tif 000018